(57)【要約】【課題】ファクシミリ機能を有する画像形成装置において自動給紙対象となるトレイを設定するとともに、該設定に伴う不具合を防止することのできる画像形成装置およびその給紙制御方法を提供する。【解決手段】操作・表示制御部７が、給紙部４が管理する複数の給紙トレイのそれぞれに対し、少なくともファクシミリ処理を実行する際の自動給紙であるか否かの設定を受け付け、該受け付けた設定に基づいてシステム制御部１が、ファクシミリ処理実行時に給紙が可能な給紙トレイを確認し、確認の結果、全ての給紙トレイが、自動給紙対象外であった場合に、操作・表示制御部７が警告表示を行う。【選択図】　　　　図１
2004023388.tif 000002
【特許請求の範囲】
【請求項１】
複数の給紙手段を有するとともに、少なくともファクシミリ処理を含む複数種の処理を実行する画像形成装置において、
前記給紙手段のそれぞれに対し、少なくともファクシミリ処理を実行する際の給紙の可否を設定する給紙対象設定手段と、
前記給紙対象設定手段による設定の結果、前記給紙手段の全てがファクシミリ処理を実行する際の給紙対象から除外された場合に警告を発する警告手段と
を具備することを特徴とする画像形成装置。
【請求項２】
前記給紙対象設定手段は、
指定された用紙サイズに基づいて、前記給紙手段のそれぞれに対し、給紙の可否を設定することを特徴とする請求項１記載の画像形成装置。
【請求項３】
前記給紙対象設定手段は、
指定された用紙種別に基づいて、前記給紙手段のそれぞれに対し、給紙の可否を設定することを特徴とする請求項１または２記載の画像形成装置。
【請求項４】
前記給紙対象設定手段は、
実行可能な複数種の処理のそれぞれに対して、前記給紙手段による給紙の可否を設定することを特徴とする請求項１記載の画像形成装置。
【請求項５】
前記給紙対象設定手段は、
前記給紙手段が給紙するそれぞれの用紙に対して、利用に際する優先順を設定することを特徴とする請求項１記載の画像形成装置。
【請求項６】
前記優先順は、
前記給紙手段のそれぞれに設定されることを特徴とする請求項５記載の画像形成装置。
【請求項７】
前記優先順は、
前記給紙手段が給紙する用紙種別毎に設定されることを特徴とする請求項５記載の画像形成装置。
【請求項８】
前記給紙手段の状態が変化した際に、前記給紙対象設定手段による設定を強制変更する強制変更手段をさらに具備することを特徴とする請求項１記載の画像形成装置。
【請求項９】
複数の給紙手段を有するとともに、該複数の給紙手段のいずれかを給紙対象として選択して複数種の処理をそれぞれ実行する画像形成装置において、
前記給紙手段のそれぞれに対し、実行可能な複数種の処理毎の給紙の可否を設定する給紙対象設定手段を具備することを特徴とする画像形成装置。
【請求項１０】
複数の給紙手段を有するとともに、少なくともファクシミリ処理を含む複数種の処理を実行する画像形成装置の給紙制御方法において、
前記給紙手段のそれぞれに対し、少なくともファクシミリ処理を実行する際の給紙の可否設定を受け付け、
該受け付けた設定が、前記給紙手段の全てがファクシミリ処理を実行する際の給紙対象から除外された場合に警告を発する
ことを特徴とする画像形成装置の給紙制御方法。
【請求項１１】
指定された用紙サイズに基づいて、前記給紙手段のそれぞれ対して給紙の可否を設定することを特徴とする請求項１０記載の画像形成装置の給紙制御方法。
【請求項１２】
指定された用紙種別にに基づいて、前記給紙手段のそれぞれ対して給紙の可否を設定することを特徴とする請求項１０または１１記載の画像形成装置の給紙制御方法。
【請求項１３】
実行可能な複数種の処理のそれぞれに対して、前記給紙手段による給紙の可否を設定することを特徴とする請求項１０記載の画像形成装置の給紙制御方法。
【請求項１４】
前記給紙手段が給紙するそれぞれの用紙に対して、利用に際する優先順をさらに設定することを特徴とする請求項１０記載の画像形成装置の給紙制御方法。
【請求項１５】
前記優先順は、
前記給紙手段のそれぞれに設定されることを特徴とする請求項１４記載の画像形成装置の給紙制御方法。
【請求項１６】
前記優先順は、
前記給紙手段が給紙する用紙種別毎に設定されることを特徴とする請求項１４記載の画像形成装置の給紙制御方法。
【請求項１７】
前記給紙手段の状態が変化した際に、前記設定を強制変更することを特徴とする請求項１０記載の画像形成装置の給紙制御方法。
【請求項１８】
複数の給紙手段を有するとともに、該複数の給紙手段のいずれかを給紙対象として選択して複数種の処理をそれぞれ実行する画像形成装置の給紙制御方法において、
前記給紙手段のそれぞれに対し、実行可能な複数種の処理毎の給紙の可否設定を受け付け、該受け付けた可否設定に基づいて前記処理毎に前記給紙手段から給紙対象を選択することを特徴とする画像形成装置の給紙制御方法。
【発明の詳細な説明】
【０００１】
【発明の属する技術分野】
この発明は、画像形成装置およびその給紙制御方法に関し、特に、ファクシミリ機能を有する画像形成装置において自動給紙の設定が可能な画像形成装置およびその給紙制御方法に関する。
【０００２】
【従来の技術】
従来、複数の記録紙をセットできるファクシミリ装置では、受信した画像のサイズに応じて適切な給紙トレイを自動選択し、適切な記録紙にプリントアウトしていた。
【０００３】
ところで、ファクシミリに加えコピーやプリンタ機能を備えた複合機においては、ファクシミリ受信文書の自動プリントアウトで使用れたくない記録紙が、給紙トレイにセットされることが有り得る。
【０００４】
使用されたくない記録紙としては、例えば、定型外用紙がある。定型外用紙へ自動受信プリントされてしまうと、保存形態によっては後から定型紙へコピーしなければならず、不経済である。また、この他にも、ＯＨＰシートがある。ＯＨＰシートは、その価格が比較的高価であるとともに、両面プリントされてしまった場合には、これをコピーしても裏写りしてしまい、もはや元の画情報を得る事は、困難であると言える。
【０００５】
このような問題を防止しているものには、例えば、特開平１１−２０５５２４号公報に記載された「ファクシミリ通信機能付きプリンタ」がある。この公報には、用紙サイズ識別手段および用紙種別識別手段を設け、トレイに格納されている用紙サイズがファクシミリ受信プリントに適するサイズであり、なおかつ用紙種別が普通紙であった場合にのみ給紙対象トレイと判断する構成が記載されている。
【０００６】
【発明が解決しようとする課題】
しかし、上述した従来技術では、全てのトレイが自動給紙対象外と判定されてしまう場合が有り得る。このような設定状態になるとファクシミリ受信文書のプリントアウトが一切行えない状態となり、受信を拒否したり、受信済み文書がプリントアウトできないまま装置が止まってしまうという不具合が発生し得る。また、用紙種別の設定時に、利用者が指定した設定値を適用すると装置がこの設定状態に陥ってしまう事をエラー通知する手段が無かった。
【０００７】
そこで、この発明は、ファクシミリ機能を有する画像形成装置において自動給紙対象となるトレイを設定するとともに、該設定に伴う不具合を防止することのできる画像形成装置およびその給紙制御方法を提供することを目的とする。
【０００８】
【課題を解決するための手段】
上述した目的を達成するため、請求項１の発明は、複数の給紙手段を有するとともに、少なくともファクシミリ処理を含む複数種の処理を実行する画像形成装置において、前記給紙手段のそれぞれに対し、少なくともファクシミリ処理を実行する際の給紙の可否を設定する給紙対象設定手段と、前記給紙対象設定手段による設定の結果、前記給紙手段の全てがファクシミリ処理を実行する際の給紙対象から除外された場合に警告を発する警告手段とを具備することを特徴とする。
【０００９】
また、請求項２の発明は、請求項１の発明において、前記給紙対象設定手段は、指定された用紙サイズに基づいて、前記給紙手段のそれぞれに対し、給紙の可否を設定することを特徴とする。
【００１０】
また、請求項３の発明は、請求項１または２の発明において、前記給紙対象設定手段は、指定された用紙種別にに基づいて、前記給紙手段のそれぞれ対にし、給紙の可否を設定することを特徴とする。
【００１１】
また、請求項４の発明は、請求項１の発明において、前記給紙対象設定手段は、実行可能な複数種の処理のそれぞれに対して、前記給紙手段による給紙の可否を設定することを特徴とする。
【００１２】
また、請求項５の発明は、請求項１の発明において、前記給紙対象設定手段は、前記給紙手段が給紙するそれぞれの用紙に対して、利用に際する優先順を設定することを特徴とする。
【００１３】
また、請求項６の発明は、請求項５の発明において、前記優先順は、前記給紙手段のそれぞれに設定されることを特徴とする。
【００１４】
また、請求項７の発明は、請求項５の発明において、前記優先順は、前記給紙手段が給紙する用紙種別毎に設定されることを特徴とする。
【００１５】
また、請求項８の発明は、請求項１の発明において、前記給紙手段の状態が変化した際に、前記給紙対象設定手段による設定を強制変更する強制変更手段をさらに具備することを特徴とする。
【００１６】
また、請求項９の発明は、複数の給紙手段を有するとともに、該複数の給紙手段のいずれかを給紙対象として選択して複数種の処理をそれぞれ実行する画像形成装置において、前記給紙手段のそれぞれに対し、実行可能な複数種の処理毎の給紙の可否を設定する給紙対象設定手段を具備することを特徴とする。
【００１７】
また、請求項１０の発明は、複数の給紙手段を有するとともに、少なくともファクシミリ処理を含む複数種の処理を実行する画像形成装置の給紙制御方法において、前記給紙手段のそれぞれに対し、少なくともファクシミリ処理を実行する際の給紙の可否設定を受け付け、該受け付けた設定が、前記給紙手段の全てがファクシミリ処理を実行する際の給紙対象から除外された場合に警告を発することを特徴とする。
【００１８】
また、請求項１１の発明は、請求項１０の発明において、指定された用紙サイズに基づいて、前記給紙手段のそれぞれ対して給紙の可否を設定することを特徴とする。
【００１９】
また、請求項１２の発明は、請求項１０または１１の発明において、指定された用紙種別にに基づいて、前記給紙手段のそれぞれ対して給紙の可否を設定することを特徴とする。
【００２０】
また、請求項１３の発明は、請求項１０の発明において、実行可能な複数種の処理のそれぞれに対して、前記給紙手段による給紙の可否を設定することを特徴とする。
【００２１】
また、請求項１４の発明は、請求項１０の発明において、前記給紙手段が給紙するそれぞれの用紙に対して、利用に際する優先順をさらに設定することを特徴とする。
【００２２】
また、請求項１５の発明は、請求項１４の発明において、前記優先順は、前記給紙手段のそれぞれに設定されることを特徴とする。
【００２３】
また、請求項１６の発明は、請求項１４の発明において、前記優先順は、前記給紙手段が給紙する用紙種別毎に設定されることを特徴とする。
【００２４】
また、請求項１７の発明は、請求項１０の発明において、前記給紙手段の状態が変化した際に、前記設定を強制変更することを特徴とする。
【００２５】
また、請求項１８の発明は、複数の給紙手段を有するとともに、該複数の給紙手段のいずれかを給紙対象として選択して複数種の処理をそれぞれ実行する画像形成装置の給紙制御方法において、前記給紙手段のそれぞれに対し、実行可能な複数種の処理毎の給紙の可否設定を受け付け、該受け付けた可否設定に基づいて前記処理毎に前記給紙手段から給紙対象を選択することを特徴とする。
【００２６】
【発明の実施の形態】
以下、この発明に係る画像形成装置およびその給紙制御方法の一実施の形態について、添付図面を参照して詳細に説明する。
【００２７】
図１は、この発明を適用した画像処理装置の構成例を示すブロック図である。同図に示すように、画像処理装置は、システム制御部１と画像読取部２、画像出力部３、給紙部４、画像処理部５、画像蓄積部６、操作・表示制御部７、通信制御部８、通信制御部９、通信制御部１０、モデム１１、回線切換制御部１２、デジタル網制御部１３、アナログ網制御部１４、システムバス制御部１５を具備して構成される。
【００２８】
システム制御部１は、この画像処理装置全体を制御するもので、例えば、プロセッサやこれを動作させるプログラム、メモリ等で構成される。また、詳細は後述するが、システム制御部１は、この画像処理装置が有する機能に応じた給紙制御をも行う。
【００２９】
なお、この画像処理装置においては、システム制御部１による給紙および給紙に関連する制御以外は、従来の画像処理装置と同様に動作する。したがって、システム制御部１以外の構成部については、概略のみを説明する。
【００３０】
画像読取部２は、原稿を読み取って画像データを得る。画像出力部３は、画像データに基づいて用紙上に画像を形成し、これを印刷出力とする。給紙部４は、複数の給紙トレイを有し、画像出力部３による画像形成時に、この給紙トレイから用紙を供給する。
【００３１】
画像処理部５は、画像データに対して符号化や復号化、拡大、縮小等の各種画像処理を施す。画像蓄積部６は、画像データを一時的に格納、蓄積する。操作・表示制御部７は、ユーザからの操作指示の受け付けやユーザに対する各種情報の提供等を行う。
【００３２】
通信制御部８は、ＬＡＮやインターネット等のネットワークへの接続および通信を制御する。通信制御部９は、アナログ網に適した通信を制御する。通信制御部１０は、デジタル網に適した通信を制御する。モデム１１は、画像データ等の変調および復調を行う。回線切換制御装置１２は、複数の外部回線、例えば、デジタル網とアナログ網とを切り替えて接続する。デジタル網制御部１３は、デジタル網への接続を制御する。アナログ網１４は、アナログ網への接続を制御するもので、自動発着信機能を備えている。
【００３３】
そして、これらの各部は、システムバス１５を介して接続され、信号やデータ等の授受を行う。
【００３４】
この画像処理装置は、画像読取部２で読み取った原稿の画像を画像出力部３から出力する複写機能やデジタル網またはアナログ網を介して画像データの送受を行うファクシミリ機能、ＬＡＮ等から受信した画像データに基づいて画像出力部３から印刷出力を行うプリンタ機能等の複数の機能を有する複合機である。
【００３５】
ここで、図１に示した画像処理装置の印刷処理について説明する。図２は、画像処理装置の印刷処理の流れを示すフローチャートである。
【００３６】
画像処理装置は、印刷要求が発生すると（ステップ１０１でＹＥＳ）、システム制御部１が、印刷要求を発生した機能に応じて設定された使用可能な給紙トレイの情報を取得する（ステップ１０２）。これを詳細に説明すると、システム制御部１を構成するプロセッサが、システム制御部１を構成するメモリから図３に示すような設定テーブルを読み出すことで、使用可能な給紙トレイの情報を取得することとなる。図３に示すテーブルには、給紙部４が管理する複数の給紙トレイのそれぞれに対して、格納している用紙のサイズ、用紙種別、トレイの状態、各機能毎の自動給紙の可否が設定されている。
【００３７】
続いて、システム制御部１は、取得した給紙トレイの情報と画像データのサイズに基づいて、給紙元となる給紙トレイを決定する（ステップ１０３）。そして、画像蓄積部６に蓄積されている画像データに対して、画像処理部５で画像サイズの変換を含む必要な画像処理を実行させ（ステップ１０４）、先に決定した給紙トレイからの給紙を給紙部４に指示し（ステップ１０５）、画像出力部３に給紙部４が給紙した用紙上に画像処理を施した画像を印刷出力させ（ステップ１０６）、印刷処理を終了する。なお、画像蓄積部６に蓄積されている画像データは、ファクシミリ機能では、デジタル網若しくはアナログ網を介して受信したもので、プリンタ機能であれば通信制御部８が受信したもの、複写機能であれば画像読取部２が原稿を読み取って得たものである。
【００３８】
ここで、図３に示したテーブルの生成方法について説明する。図４は、自動給紙の可否を設定した表の生成の流れを示すフローチャートである。
【００３９】
画像処理装置は、自動給紙の可否の設定を開始すると、まず、システム制御部１が、機能に応じて設定された使用可能な用紙サイズの情報と機能に応じて設定された使用可能な用紙種別の情報を取得する（ステップ２０１）。これを詳細に説明すると、システム制御部１を構成するプロセッサが、システム制御部１を構成するメモリから図５に示すような用紙サイズ設定テーブルと図６に示すような用紙種別設定テーブルを読み出すことで、各情報を取得する。ここで、取得する情報は、現に設定されている情報であり、初回に設定を行う場合には、デフォルトの値が取得されることとなる。
【００４０】
続いて、システム制御部１は、取得した用紙サイズ設定テーブルと用紙種別設定テーブルに基づく現在の設定を操作・表示制御部７に表示する（ステップ２０２）。操作・表示部７への表示は、例えば、図７に示すような画面３００により行われる。画面３００では、複写（Ｃｏｐｙ）、ファクシミリ（Ｆａｘ）、プリンタ（Ｐｒｉｎｔｅｒ）等の各機能毎に、用紙サイズ設定と用紙種別設定とをツリー表示している。用紙サイズ設定と用紙種別設定は、それぞれの項目でチェックマークにより自動給紙の可否が表現されており、例えば、全ての用紙サイズの自動給紙の可否を設定するチェックボックス３０１や「Ａ３タテ」の用紙サイズの自動給紙の可否を設定するチェックボックス３０２、全ての用紙種別の自動給紙の可否を設定するチェックボックス３０３、「普通紙」の用紙種別の自動給紙の可否を設定するチェックボックス３０４等が表示されている。
【００４１】
画像処理装置は、用紙サイズ設定と用紙種別設定を表示すると、その後、操作者による操作・表示制御部７への設定変更の操作指示を受け付ける（ステップ２０３）。操作者による設定変更の操作は、画面３００に表示されたチェックボックスのチェック状態を変更することで行われる。
【００４２】
操作・表示制御部７が操作者からの操作指示を受け付けると、システム制御部１が受け付けた指示の内容をチェックする（ステップ２０４）。なお、このチェック処理の詳細は、後述する。
【００４３】
続いて、システム制御部１は、チェック処理の結果がＯＫであった場合には（ステップ２０５でＹＥＳ）、受け付けた設定内容をシステム制御部１のメモリに書き込み（ステップ２０６）、操作者により設定終了の指示があれば（ステップ２０７でＹＥＳ）、自動給紙の可否の設定を終了する。
【００４４】
一方、ステップ２０４でのチェック処理の結果がＮＧであった場合には（ステップ２０５でＮＯ）、操作・表示制御部７に警告を表示し（ステップ２０８）、その後、ステップ２０２に戻って、操作者に再度、設定の変更を行わせる。
【００４５】
また、受け付けた設定内容をメモリに書き込んだ後に、操作者による設定継続の指示があれば（ステップ２０７でＮＯ）、ステップ２０１に戻って、再度、同様の処理を実行する。
【００４６】
次に、上述のステップ２０４で実行するチェック処理について説明する。図８は、チェック処理の流れを示すフローチャートである。
【００４７】
チェック処理では、まず、システム制御部１が、給紙部４から現在のトレイ情報を取得する（ステップ２４１）。取得するトレイ情報は、例えば、図９に示すトレイ情報テーブルのように、各給紙トレイについて、用紙サイズと用紙種別、現在の状態が含まれている。
【００４８】
次に、システム制御部１が、このトレイ情報テーブルと先に取得した用紙サイズ設定テーブル（図５参照）、用紙種別設定テーブル（図６参照）に基づいて、機能別の自動給紙の可否を設定した設定テーブル（図３参照）を生成する（ステップ２４２）。
【００４９】
続いて、システム制御部１は、ファクシミリ機能の稼働状態を取得する（ステップ２４３）。ファクシミリ機能が稼働していた場合には（ステップ２４４でＹＥＳ）、ステップ２４２で生成した設定テーブルに基づいて、ファクシミリで自動給紙が可能に設定されている給紙トレイの有無を確認する（ステップ２４５）。
【００５０】
確認の結果、ファクシミリで自動給紙が可能な給紙トレイが存在すれば（ステップ２４６でＹＥＳ）、チェック処理をその結果を「ＯＫ」として終了し、ファクシミリで自動給紙が可能な給紙トレイが存在しなければ（ステップ２４６でＮＯ）、チェック処理をその結果を「ＮＧ」として終了する。
【００５１】
また、ステップ２４３でファクシミリ機能の稼働状態を取得した際に、ファクシミリ機能が稼働していなければ（ステップ２４４でＮＯ）、チェック処理をその結果を「ＯＫ」として終了する。
【００５２】
ここで、機能別の自動給紙の可否を設定した設定テーブル（図３参照）についての説明を補足する。
【００５３】
上述の説明では、機能別の自動給紙の可否を用紙サイズに対する自動給紙の可否、用紙種別に対する自動給紙の可否、ファクシミリ機能の稼働状態に基づいて決定した。しかしながら、当該設定の決定方法は、この限りではなく、用紙サイズにのみ基づいて行ったり、用紙種別のみに基づいて行うこともできる。また、ファクシミリ機能の稼働状態を無視することもでき、ファクシミリ機能に対してのみ自動給紙の可否を設定するようにしてもよい。
【００５４】
なお、上述の説明では、自動給紙の可否の設定を操作・表示制御部７の操作により行う場合を説明したが、通信制御部８を介して接続される図示しないコンピュータ装置から行うようにしてもよい。この場合、画像処理装置に図示しないコンピュータ装置との通信を行うための構成を付加する必要があるが、これをウェブサーバ機能を有する構成とすれば、図示しないコンピュータ装置に別途ソフトウェアを準備する必要もない。
【００５５】
ところで、上述のように自動給紙の可否を設定した場合、印刷処理の実行時に使用されたくない用紙が使用されることは無くなる。しかしながら、画像処理装置を利用する上では、「使用してもよいができるならば使用したくない用紙」や「この用紙よりも先に別の用紙を使用してほしい」等の要望が生じる場合もある。このような場合、使用する用紙の優先順を予め設定しておくことで、要望を満足することができる。
【００５６】
画像処理装置で使用する用紙に優先順を設定する場合、用紙サイズに対する優先度、用紙種別に対する優先度、給紙トレイに対する優先度等を設定することとなる。ただし、用紙サイズに関しては、通常は、画像のサイズとの関係が優先されるため、以下では、給紙トレイに対して優先度を設定する場合と用紙種別に対して優先度を設定する場合を説明する。
【００５７】
まず、給紙トレイに優先度を設定する場合には、操作・表示制御部７に図１０に示すような画面４００を表示する。この画面４００では、各トレイに対して優先度４０１や優先度４０２を設定することができる。この画面４００で優先度の設定を行った場合、システム制御部１には、図１１に示すようなトレイ優先順設定テーブルが記憶される。そして、機能別の自動給紙の可否を設定した設定テーブルは、図１２に示すようものが生成される。これにより、トレイ１とトレイ２にサイズと種別の両者が同一の用紙が格納されている場合であっても、設定した優先度にしたがって、トレイ２からの給紙が優先される。なお、図１２に示した設定テーブルに代えて、図１３に示すようなファクシミリ機能で給紙が可能に設定されているトレイにのみ着目した設定テーブルを生成することもできる。
【００５８】
また、用紙種別に優先度を設定する場合には、操作・表示制御部７に図１４に示すような画面５００を表示する。この画面５００では、用紙種別に応じた優先度を設定することができる。この画面５００で優先度の設定を行った場合、システム制御部１には、図１５に示すような用紙種別優先順設定テーブルが記憶される。そして、機能別の自動給紙の可否を設定した設定テーブルは、図１６に示すようものが生成される。なお、図１６に示した設定テーブルに代えて、図１７に示すようなファクシミリ機能で給紙が可能に設定されているトレイにのみ着目した設定テーブルを生成することもできる。
【００５９】
さらに、給紙トレイに対する優先度と用紙種別に対する優先度の両者を設定した場合、機能別の自動給紙の可否を設定した設定テーブルは、図１８に示すようものが生成される。なお、図１８に示した設定テーブルに代えて、図１９に示すようなファクシミリ機能で給紙が可能に設定されているトレイにのみ着目した設定テーブルを生成することもできる。この場合には、使用する給紙トレイの順位を算出する必要があるが、この算出は、例えば、
優先度　＝　用紙種別優先度　＋　給紙トレイ優先度
により行うことができる。
【００６０】
また、用紙種別の優先度に重みを付け、
優先度　＝　重み係数　×　用紙種別優先度　＋　給紙トレイ優先度
により算出するようにしてもよい。
【００６１】
さて、上述の説明では、自動給紙の可否の設定について説明したが、画像処理装置は、稼働中に給紙トレイ内の用紙が用紙切れを起こしたり、給紙トレイ自体が故障する等、その状態が動的に変化するものである。このような状態の変化が生じた場合、自動給紙の可否の設定が不適切となることもあるが、不適切な設定は、可能な限り回避することが望ましい。そこで、以下では、画像処理装置の状態が変化した場合に行う設定の強制変更処理について説明する。図２０および図２１は、設定の強制変更処理の流れを示すフローチャートである。
【００６２】
さて、給紙トレイの状態が変化すると、まず、システム制御部１が、給紙部４から現在のトレイ情報を取得し（ステップ６０１）、このトレイ情報と先に取得した用紙サイズ設定テーブル（図５参照）、用紙種別設定テーブル（図６参照）に基づいて、機能別の自動給紙の可否を設定した設定テーブル（図３参照）を生成する（ステップ６０２）。
【００６３】
続いて、システム制御部１は、ファクシミリ機能の稼働状態を取得する（ステップ６０３）。ファクシミリ機能が稼働していた場合には（ステップ６０４でＹＥＳ）、ステップ６０２で生成した設定テーブルに基づいて、ファクシミリで自動給紙が可能に設定されている給紙トレイの有無を確認する（ステップ６０５）。
【００６４】
確認の結果、ファクシミリで自動給紙が可能な給紙トレイが存在すれば（ステップ６０６でＹＥＳ）、トレイ状態の変化による不適切な影響がないとして、結果を「ＯＫ」として終了する。また、ステップ６０３でファクシミリ機能の稼働状態を取得した際に、ファクシミリ機能が稼働していなければ（ステップ６０４でＮＯ）、同様に結果を「ＯＫ」として終了する。
【００６５】
一方、ファクシミリで自動給紙が可能な給紙トレイが存在しなければ（ステップ６０６でＮＯ）、システム制御部１は、用紙種別に対する条件を緩和する（ステップ６０７）。その結果、ファクシミリで自動給紙が可能な給紙トレイが存在するようになれば（ステップ６０８でＹＥＳ）、強制使用を許可する設定、例えば、フラグの変更を行う（ステップ６０９）。そして、操作・表示制御部７に強制設定を行った旨の表示を行って（ステップ６１０）、結果を「ＯＫ」として終了する。
【００６６】
また、用紙種別に対する条件を緩和しても、ファクシミリで自動給紙が可能な給紙トレイが存在しなければ（ステップ６０８でＮＯ）、システム制御部１は、用紙サイズに対する条件を緩和する（ステップ６１１）。その結果、ファクシミリで自動給紙が可能な給紙トレイが存在するようになれば（ステップ６１２でＹＥＳ）、強制使用を許可する設定、例えば、フラグの変更を行う（ステップ６０９）。そして、操作・表示制御部７に強制設定を行った旨の表示を行って（ステップ６１０）、結果を「ＯＫ」として終了する。
【００６７】
また、用紙サイズに対する条件を緩和しても、ファクシミリで自動給紙が可能な給紙トレイが存在しなければ（ステップ６１２でＮＯ）、ファクシミリ機能での印刷は、不可能な状態であると判断し、操作・表示制御部７にエラー表示を行って（ステップ６１３）、結果を「ＮＧ」として終了する。
【００６８】
なお、ステップ６０７やステップ６１１で緩和する条件は、必ずしも用紙種別、用紙サイズの順である必要はない。
【００６９】
【発明の効果】
以上説明したように、この発明によれば、ファクシミリ機能を実行する際に自動給紙対象となる給紙トレイを設定可能とするとともに、該設定により自動給紙が不可能となる場合には警告を発するように構成したので、設定者の誤りや錯覚によって自動給紙を不能とすることなく、適切な用紙を自動給紙することが可能となる。
【図面の簡単な説明】
【図１】この発明を適用した画像処理装置の構成例を示すブロック図である。
【図２】画像処理装置の印刷処理の流れを示すフローチャートである。
【図３】機能別の自動給紙の可否を設定した設定テーブルの例を示した図（１）である。
【図４】自動給紙の可否を設定した表の生成の流れを示すフローチャートである。
【図５】用紙サイズ設定テーブルの例を示した図である。
【図６】用紙種別設定テーブルの例を示した図である。
【図７】自動給紙可否の設定画面例を示した図である。
【図８】チェック処理の流れを示すフローチャートである。
【図９】トレイ情報テーブルの例を示した図である。
【図１０】給紙トレイへの優先度の設定画面例を示した図である。
【図１１】トレイ優先順設定テーブルの例を示した図である。
【図１２】機能別の自動給紙の可否を設定した設定テーブルの例を示した図（２）である。
【図１３】機能別の自動給紙の可否を設定した設定テーブルの例を示した図（３）である。
【図１４】用紙種別への優先度の設定画面例を示した図である。
【図１５】用紙種別優先順設定テーブルの例を示した図である。
【図１６】機能別の自動給紙の可否を設定した設定テーブルの例を示した図（４）である。
【図１７】機能別の自動給紙の可否を設定した設定テーブルの例を示した図（５）である。
【図１８】機能別の自動給紙の可否を設定した設定テーブルの例を示した図（６）である。
【図１９】機能別の自動給紙の可否を設定した設定テーブルの例を示した図（７）である。
【図２０】設定の強制変更処理の流れを示すフローチャート（１）である。
【図２１】設定の強制変更処理の流れを示すフローチャート（２）である。
【符号の説明】
１　　システム制御部
２　　画像読取部
３　　画像出力部
４　　給紙部
５　　画像処理部
６　　画像蓄積部
７　　操作・表示制御部
８　　通信制御部
９　　通信制御部
１０　　通信制御部
１１　　モデム
１２　　回線切換制御部
１３　　デジタル網制御部
１４　　アナログ網制御部
１５　　システムバス
３００　　画面
３０１　　チェックボックス
３０２　　チェックボックス
３０３　　チェックボックス
３０４　　チェックボックス
４００　　画面
４０１　　優先度
４０２　　優先度
５００　　画面
【図１】
2004023388.tif 000003
【図２】
2004023388.tif 000004
【図３】
2004023388.tif 000005
【図４】
2004023388.tif 000006
【図５】
2004023388.tif 000007
【図６】
2004023388.tif 000008
【図７】
2004023388.tif 000009
【図８】
2004023388.tif 000010
【図９】
2004023388.tif 000011
【図１０】
2004023388.tif 000012
【図１１】
2004023388.tif 000013
【図１２】
2004023388.tif 000014
【図１３】
2004023388.tif 000015
【図１４】
2004023388.tif 000016
【図１５】
2004023388.tif 000017
【図１６】
2004023388.tif 000018
【図１７】
2004023388.tif 000019
【図１８】
2004023388.tif 000020
【図１９】
2004023388.tif 000021
【図２０】
2004023388.tif 000022
【図２１】
2004023388.tif 000023